(57)【要約】  従来のきゅうり栽培器では、結合と分離が容易でなくて、きゅうりが生長しながら不均一にカバー胴体の内部に加えられる膨脹圧力によりカバー胴体が反り、再使用が難しくなるだけでなく、きゅうりの形状と規格が不均一なので、商品性が低下するという問題点があった。  本発明は、上記の問題点を解決するためになされたものであり、カバー胴体の長手方向に開放された他方の側の一方の上端部に係止突起を形成し、前記係止突起が形成された一方の上端部と対向するカバー胴体の長手方向に開放された他方の側の他方の上端部に前記係止突起と結合してカバー胴体を結合締結させる係止鍔を形成し、開放されたカバー胴体を結合して締結させ、結合締結されたカバー胴体を分離して開放させる結合分離部と、前記係止鍔に係止突起が結合締結された状態で前記係止鍔の両側端を取り囲んで固定させるように前記係止突起の上部に形成させてきゅうりやなすなどが生長しながらカバー胴体の内部に加えられる膨脹圧力によるカバー胴体の反りを防止するカバー胴体反り防止用突起とで構成され、前記係止鍔の上部とカバー胴体反り防止用突起の一方の側で、結合締結された前記カバー胴体を容易に分離して開放させるようにカバー胴体分離開放用支持部を各々形成する。
2008502357.tif 000002
【特許請求の範囲】
【請求項１】
生育されるきゅうりやなすなどの外部が一定の形状を有するように形成させる空間を具備し、長手方向に半分分割して、一方の側を外向きの弾撥力を有する弾支部により連結し、且つ他方の側が開放されるように形成されるカバー胴体と、
前記カバー胴体に形成される複数の通気孔と、
前記カバー胴体の一方の側の端部に形成される幹引入孔と、
前記カバー胴体の他方の側の端部に形成される花引出し孔と、
前記カバー胴体の長手方向に開放された他方の側に形成され、且つ開放されたカバー胴体を結合して締結させ、結合締結されたカバー胴体を分離して開放させる結合分離部と、
前記結合分離部の両側端を取り囲んで固定させるように形成され、且つきゅうりやなすなどが生長しつつカバー胴体の内部に加えられる膨脹圧力によるカバー胴体の反りを防止するカバー胴体反り防止用突起とから構成され、
前記結合分離部は、前記カバー胴体の長手方向に開放された他方の側の一方の上端部に係止突起を形成し、前記係止突起が形成された一方の上端部と対向するカバー胴体の長手方向に開放された他方の側の他方の上端部に前記係止突起と結合してカバー胴体を結合締結させる係止鍔を形成し、
前記カバー胴体反り防止用突起は、前記係止鍔に係止突起が結合締結された状態で、前記係止鍔の両側端を取り囲んで固定させるように前記係止突起の上部に形成させることを特徴とするきゅうりやなすなどの生育栽培器。
【請求項２】
前記係止鍔の上部と前記カバー胴体反り防止用突起の一方の側で、結合締結された前記カバー胴体を容易に分離して開放させるように、カバー胴体分離開放用支持部を各々形成することを特徴とする請求項１に記載のきゅうりやなすなどの生育栽培器。
【請求項３】
前記係止突起は、前記係止鍔との結合が容易となるように、前記カバー胴体の内側に下向き傾斜するように形成させることを特徴とする請求項１に記載のきゅうりやなすなどの生育栽培器。
【請求項４】
前記きゅうりやなすなどの生育栽培器は、通常の合成樹脂材にバイオセラミック抗菌素材１〜５％を混合して製造されることを特徴とする請求項１に記載のきゅうりやなすなどの生育栽培器。
【発明の詳細な説明】
【技術分野】
【０００１】
本発明は、きゅうりやなすなどの生育栽培器に関し、より詳しくは、きゅうりやなすなどを栽培する時、葉や幹に棲息する病害虫を除去するために農薬を散布する場合にも、きゅうりやなすなどの表面に直接的に農薬が残留することを遮断しながら、一定の形状と規格に維持されるようにするきゅうりやなすなどの生育栽培器に関する。
【背景技術】
【０００２】
一般的に、温室やビニールハウスなどを利用して一年中栽培が行われ、年中出荷されている、幅に比べて長さが相対的に長い、例えば、きゅうりやなすなど（以下、「きゅうり」という）を栽培する場合に、葉と幹に棲息する病害虫を除去するために適正量の農薬を散布するようになる。
【０００３】
この時、きゅうりの表面にも直接的に農薬が散布されることによって、出荷される時点にきゅうりの表面に農薬が残留し、これを食べれば人体にそのまま蓄積され、害を及ぼすようになるという問題点が発生する。
【０００４】
また、きゅうりは、径が略３ｃｍ内外で、成長環境、すなわち土壌、水分や日朝などに影響を受けて、一定の長さとなれば曲がるなど形状が互いに異なって成長することによって、一定の形状と規格を有するきゅうりを収穫することが難しくなり、全体的に商品性が低下し、また、貯蔵、運搬など取扱過程でも不便な場合が発生するようになる。
【０００５】
これより、きゅうりの表面に直接的に農薬が残留することを遮断することによって、安心して食べることができると共に、きゅうりを一定の形状と規格に維持されるようにして、商品性を高めることができるように、通常の合成樹脂材で製造されたカバーをきゅうりの外部に被覆するか、組み立てて使用するきゅうり栽培器が流通されている。
【０００６】
このようなきゅうり栽培器として、韓国実用新案登録第０２６１９２９号のきゅうり栽培器１００では、図１及び図２に示すように、栽培器１００の表面の一方の側に生産地または生産者などを表示できる刻印部１１６、１２６を有し、表面の他の一方の側に通気孔１１１、１２１を有し、一方の側の端部に幹引入孔１１７、１２７が形成される第１カバー１１０と第２カバー１２０とで構成される。第１カバー１１０と第２カバー１２０は、ヒンジ部１３０により互いに回転自在に連結され、各々ヒンジ部１３０の対向側周縁に互いにずらして形成される結束突起１１３、１２３と結束孔１１５、１２５が形成された結束板１１２、１１４、１２２、１２４を有し、前記幹引入孔１１７、１２７の対向側端部に花引出し孔１１８、１２８が形成されるようにして、きゅうりが栽培される間に、数回散布される農薬による汚染を栽培器１００本体により基本的に遮断させることによって、きゅうりの表面に残留されることが防止され、無農薬きゅうりを生産することができる一方、結束板１１２、１２４、１２２、１１４により１つの筒体をなす栽培器１００本体内できゅうりが筒体形状で栽培されるようにする。
【０００７】
しかし、従来のきゅうり栽培器１００では、第１カバー１１０及び第２カバー１２０を備えた筒体形状の本体内部できゅうりが本体内部の大きさ以上に継続して生長するようになる場合には、きゅうりが生長しながら膨脹して、本体の第１カバー１１０及び第２カバー１２０に圧力を加えるようになる。
【０００８】
この場合、第１カバー１１０及び第２カバー１２０は、結束突起１１３、１２３と結束孔１１５、１２５の結合によりロック状態を堅固に維持しているため、きゅうりの膨脹圧力を抑制しようとする力がさらにきゅうりにそのまま作用して、きゅうり自体の形状に変形をもたらすしかないので、商品性が低下するという問題点が発生するようになる。
【０００９】
また、収穫時期も明確に現れなくて、栽培者がその時期をいちいち目視で判別して収穫しなければならないので、忙しい農家の人手に負担を与えると共に、ややともすれば、収穫時期を逃すようになることによって、商品性が低下するという問題点もあった。
【００１０】
さらに、本体内部に加えられるきゅうりの膨脹圧力も均一でないことから、第１カバー１１０及び第２カバー１２０が不均一に加えられる膨脹圧力に耐えない状態で、ロック状態を堅固に維持する部分を除いた他の部分が変形されることによって、本体を再使用することが難しいという問題点もあった。
【００１１】
すなわち、きゅうりが一定大きさや太さ以上に生長する場合、本体の内部には、外部への膨脹圧力が上下左右に加えられるようになるが、この場合、きゅうりが生長する方向が一定でないので、本体の内部に加えられる膨脹圧力も不均一になり、本体は、きゅうりが一定大きさや太さ以上に生長しながら反り、再使用が難しくなるだけでなく、きゅうりの形状も不均一になる。
【００１２】
また、きゅうりが本体の内部で生長する生育過程で壁蝨やかびなどの棲息により腐りくずれる場合を防止するために、第１及び第２カバー１１０、１２０に通気孔１１１、１２１を形成させているが、相変らず物足りないので、補完する必要性がある。
【発明の開示】
【発明が解決しようとする課題】
【００１３】
本発明は、上述のような問題点を解決するためになされたものであり、その目的は、結合と分離を容易に行うことができると共に、きゅうりが生長しながら不均一にカバー胴体の内部に加えられる膨脹圧力によりカバー胴体が反ることを防止することによって、再使用を可能にしながら、人手の負担を低減し、均一な形状と規格を確保して、商品性が高いきゅうりやなすなどの生育栽培器を提供することにある。
【００１４】
また、本発明の他の目的は、通常の合成樹脂材にバイオセラミック抗菌素材を混合製造して、生育過程でかび菌や壁蝨などの病害虫から腐りくずれ現象を有効に抑制または防止するようにするきゅうりやなすなどの生育栽培器を提供することにある。
【課題を解決するための手段】
【００１５】
上記目的を達成するために、本発明に係るきゅうりやなすなどの生育栽培器は、生育されるきゅうりやなすなどの外部が一定の形状を有するように形成させる空間を具備し、長手方向に半分分割して、一方の側を外向きの弾撥力を有する弾支部により連結し、且つ他方の側が開放されるように形成されるカバー胴体と、前記カバー胴体に形成される複数の通気孔と、前記カバー胴体の一方の側の端部に形成される幹引入孔と、前記カバー胴体の他方の側の端部に形成される花引出し孔と、前記カバー胴体の長手方向に開放された他方の側に形成され、且つ開放されたカバー胴体を結合して締結させ、結合締結されたカバー胴体を分離して開放させる結合分離部と、前記結合分離部の両側端を取り囲んで固定させるように形成され、且つきゅうりやなすなどが生長しつつカバー胴体の内部に加えられる膨脹圧力によるカバー胴体の反りを防止するカバー胴体反り防止用突起とから構成され、前記結合分離部は、前記カバー胴体の長手方向に開放された他方の側の一方の上端部に係止突起を形成し、前記係止突起が形成された一方の上端部と対向するカバー胴体の長手方向に開放された他方の側の他方の上端部に前記係止突起と結合してカバー胴体を結合締結させる係止鍔を形成し、前記カバー胴体反り防止用突起は、前記係止鍔に係止突起が結合締結された状態で、前記係止鍔の両側端を取り囲んで固定させるように前記係止突起の上部に形成させることを特徴とする。
【００１６】
また、本発明によるきゅうりやなすなどの生育栽培器は、前記係止鍔の上部と前記カバー胴体反り防止用突起の一方の側で、結合締結された前記カバー胴体を容易に分離して開放させるように、カバー胴体分離開放用支持部を各々形成してもよい。
【００１７】
好ましくは、前記係止突起は、前記係止鍔との結合が容易となるように、前記カバー胴体の内側に下向き傾斜するように形成させる。
【００１８】
より好ましくは、前記きゅうりやなすなどの生育栽培器は、通常の合成樹脂材にバイオセラミック抗菌素材１〜５％を混合して製造される。
【発明の効果】
【００１９】
以上、詳細に説明したように、本発明のきゅうりやなすなどの生育栽培器によれば、きゅうりやなすなどが生長しながら膨脹されて発生する不均一な圧力によりカバー胴体の内部に加えられる膨脹圧力によりカバー胴体が反ることを防止して、再使用が可能にする効果をもたらす。
【００２０】
また、結合と分離を容易にして、きゅうりの生育状態を随時確認することができるようにしながらも、一定の膨脹圧力に到達すれば、直ちに広げられて、収穫時期を容易に把握できるようにすることによって、人手の負担を低減することができ、これにより、きゅうりやなすなどの均一な形状を確保して、商品性を向上させ、作業も簡便にする効果をもちらす。
【００２１】
また、通常の合成樹脂材にバイオセラミック抗菌素材を混合して、生育過程でかび菌や壁蝨菌などの病害虫から腐りくずれ現象を抑制または防止するようにする効果をもたらす。
【発明を実施するための最良の形態】
【００２２】
図３は、本発明の実施例に係るきゅうりやなすなどの生育栽培器の使用状態を示す図である。図４は、本発明の実施例に係るきゅうりやなすなどの生育栽培器が閉められた状態を示す図である。図５は、図４のきゅうりやなすなどの生育栽培器のＡ−Ａ’断面を示す図である。図６は、本発明の実施例に係るきゅうりやなすなどの生育栽培器が開かれた状態を示す図である。
【００２３】
本発明の実施例に係るきゅうりやなすなどの生育栽培器２００は、長手方向に他方の側が開放された状態を維持するカバー胴体２１０と、このようなカバー胴体２１０の開放された状態を結合したり、結合された状態を分離して開放させる結合分離部２２０とで構成される。
【００２４】
前記カバー胴体２１０は、半分に分割して、長手方向に一方の側のみを外向きの弾撥力を有するようにする弾支部２１１に連結して、他方の側が開放されるように成形させるので、前記結合分離部２２０を介して開放されたカバー胴体２１０の他方の側を結合して締結させた場合に、その内部で生育されるきゅうりの外部形状をなす空間部を形成する。
【００２５】
そして、前記カバー胴体２１０には、きゅうりが流入して一定形状を成形するようにする空間部を有する内部と外部間の空気流通を円滑にする通気孔２１２が複数形成される。
【００２６】
また、前記カバー胴体２１０の一方の側の端部には、きゅうりの幹が引き込まれる幹引入孔２１３が形成され、他方の側の端部には、花引出し孔２１４が形成される。
【００２７】
前記結合分離部２２０は、前記カバー胴体２１０の長手方向に開放された他方の側に形成され、開放されたカバー胴体２１０を結合して締結させる機能と、結合締結されたカバー胴体２２０を分離して開放させる機能とを行う。
【００２８】
まず、半分に分けられたカバー胴体２１０の開放された側を、前記結合分離部２２０を用いて結合して締結させるために、前記カバー胴体２１０の開放された他方の側の一方の上端部には、長手方向に連続して突出させた係止突起２２１が形成されており、前記一方の上端部と対向するカバー胴体２１０の開放された他方の側の他方の上端部には、前記係止突起２２１に係止されながら結合して、開放されたカバー胴体２１０の他方の側を結合締結させる係止鍔２２２が一定の間隔で複数形成される。
【００２９】
前記係止突起２２１は、前記カバー胴体２１０の内部側に下向き傾斜するように形成させて、前記結合鍔２２２との結合締結を容易にする。
【００３０】
ここで、本発明の特徴中の１つと言える、結合締結されたカバー胴体２１０の反りを防止するために、前記係止鍔２２２に係止突起２２１が結合締結された状態で、前記係止突起２２１の上部には、きゅうりが生長しながらカバー胴体２１０の内部に加えられる膨脹圧力によるカバー胴体２１０の反りを防止するカバー胴体反り防止用突起２２３が前記係止鍔２２２の両側端を取り囲んで固定させるように突出形成される。
【００３１】
次に、前記結合分離部２２０の結合締結されたカバー胴体２１０を分離して開放させるために、前記係止鍔２２２の上部と前記係止鍔２２２に隣接する前記カバー胴体反り防止用突起２２３の一方の側には、結合締結された前記カバー胴体２１０を指などを使用して容易に分離開放させるように、カバー胴体分離開放用支持部２２４を各々形成する。
【００３２】
このようなカバー胴体分離開放用支持部２２４に指などを使用して力を加えれば、前記結合部の係止鍔２２２が上部に若干押し上げられ、前記係止突起２２１から容易に離脱しながら分離開放される。
【００３３】
また、本発明の実施例に係るきゅうりやなすなどの生育栽培器２００を成形する時には、ポリエチレン、ポリプロフィレンのような通常の合成樹脂材に通常のバイオセラミック抗菌素材１〜５％を必要に応じて適宜混合製造することによって、使用時に、前記通気孔２１２と共に内部で棲息するかび菌や壁蝨菌による腐りくずれを有効に予防することができる。
【００３４】
上記のように構成される本発明の実施例に係るきゅうりやなすなどの生育栽培器２００の使用過程を説明すれば、次の通りである。
【００３５】
まず、カバー胴体２１０の他方の側が開放された状態で、幹引入孔２１３を介してきゅうりの幹を位置させ、その内部にきゅうりの着花された部分を入れた状態で、カバー胴体２１０が閉められるように力を加えれば、係止突起２２１に係止鍔２２２が係止しながら結合されて、締結された状態を維持するようになる。
【００３６】
ここで、前記結合鍔２２２は、前記カバー胴体２１０の内部側に下向き傾斜するように形成された前記係止突起２２１により容易に結合締結させることができることになる。
【００３７】
これより、カバー胴体２１０は、生育されるきゅうりの外部が一定の形状を有するようにする空間部を内部に形成させるようになる。
【００３８】
このような状態で、カバー胴体２１０の内部に収容されたきゅうりが徐々に生長しながら前記カバー胴体２１０によって形成された内部空間に合うように成形される。
【００３９】
この過程で、前記通気孔２１２からカバー胴体２１０の内部を形成する空間部に空気が循環されるようにしつつ、混合された通常のバイオセラミック抗菌素材の特性によって内部にかびなどの棲息を防止または抑制しながら、きゅうりが腐りくずれたり、腐敗されるなど傷むことを防止するようになる。
【００４０】
半分に分けられた前記カバー胴体２１０を連結している弾支部２１１は、前記カバー胴体２１０を外向きに広げる弾性力を有していて、前記カバー胴体２１０の内部で生育したきゅうりがきつく詰まった時には、前記係止突起２２１に係止されている係止鍔２２２が係止突起２２１から離脱しながら分離されて容易に広げられるようになる。
【００４１】
よって、栽培者がきゅうりの収穫期を容易に判断して収穫できるようになる。このように収穫されたきゅうりは、均一な形状を維持するので、商品性が向上する。また、大きさなどによってきゅうりを選別する追加の作業をすることなく、包装して需要者に供給されるようにすることができるので、生産による別途の付帯設備費用が少なくかかり、作業性も良くする。
【００４２】
また、係止突起２２１に係止されている係止鍔２２２が係止突起２２１から離脱して分離されるまでは、きゅうりの生長によってカバー胴体２１０に与えられる不均一な膨脹圧力はカバー胴体反り防止用突起２２３によって有効に抑制され、その形状を均一に維持することができる。よって、きゅうりの膨脹圧力によるきゅうりやなすなどの生育栽培器の破損を防止して、持続的な再使用を可能にする。
【００４３】
一方、前記係止鍔２２２の上部と前記カバー胴体反り防止用突起２２３の一方の側に突出形成させて、前記カバー胴体分離開放用支持部２２４を指などを使用して若干の力を加えれば、結合締結された前記カバー胴体２１０を容易に分離して開放させることができるので、きゅうりが生育される状態を容易に確認することができる。
【００４４】
本発明は、上記の実施例に限定されるものではなく、特許請求範囲に記載される発明の範囲内で多様な変形が可能であり、このような変形も本発明の範囲内に含まれる。
【００４５】
例えば、本発明の実施例では、きゅうりやなすなどを例にして説明しているが、その他にも、かぼちゃなどのように幅が長さに比べて相対的に長く栽培される対象の外部形態によってその形状のみに差異がある場合には、全て本発明の権利範囲に属するものであると言える。
【産業上の利用可能性】
【００４６】
以上、詳細に説明したように、本発明のきゅうりやなすなどの生育栽培器によれば、きゅうりやなすなどが生長しながら膨脹されて発生する不均一な圧力によりカバー胴体の内部に加えられる膨脹圧力によりカバー胴体が反ることを防止して、再使用が可能にする効果をもたらす。
【図面の簡単な説明】
【００４７】
【図１】従来のきゅうり栽培器の使用状態を示す図である。
【図２】図１のきゅうり栽培器を広めた状態を示す図である。
【図３】本発明の実施例に係るきゅうりやなすなどの生育栽培器の使用状態を示す図である。
【図４】本発明の実施例に係るきゅうりやなすなどの生育栽培器が閉められた状態を示す図である。
【図５】図４のきゅうりやなすなどの生育栽培器のＡ−Ａ’断面を示す図である。
【図６】本発明の実施例に係るきゅうりやなすなどの生育栽培器が開かれた状態を示す図である。
【符号の説明】
【００４８】
１００  従来のきゅうり栽培器
１１０  第１カバー
１２０  第２カバー
１１１、１２１、２１２  通気孔
１１２、１１４、１２２、１２４  結束板
１１３、１２３  結束突起
１１５、１２５  結束孔
１１６、１２６  刻印部
１１７、１２７、２１３  幹引入孔
１１８、１２８、２１４  花引出し孔
１３０  ヒンジ部
１６０  幹
２００  本発明の実施例に係るきゅうりやなすなどの生育栽培器
２１０  カバー胴体
２１１  弾支部
２２０  結合分離部
２２１  係止突起
２２２  係止鍔
２２３  カバー胴体反り防止用突起
２２４  カバー胴体分離開放用支持部
【図１】
2008502357.tif 000003
【図２】
2008502357.tif 000004
【図３】
2008502357.tif 000005
【図４】
2008502357.tif 000006
【図５】
2008502357.tif 000007
【図６】
2008502357.tif 000008
【国際調査報告】
2008502357.tif 000009
2008502357.tif 000010
2008502357.tif 000011